(57)【特許請求の範囲】
【請求項１】
複数の支柱に水平に取付けられた支持板の上面に、前後方向を向くガイドレールを設け、該ガイドレールに、後部棚板の下面を、支持板上を前後方向に移動可能かつ浮き上がり不能として嵌合するとともに、前記後部棚板の前方の支持板上に、キーボードが載置可能で、かつ上面にキーボードの落下防止手段を有する前部棚板を、その後端面を後部棚板の前端面に蝶着することにより下向きに傾動し得るように、かつ前後移動可能に載置し、前記後部棚板が予め定めた前限位置で停止したとき、前記前部棚板が支持板の前端より所要寸法突出して、所要角度前傾した姿勢に保持されるようにしたことを特徴とするキーボード載置用棚装置。
【請求項２】
前部棚板を、その後端部下面が支持板の前端上面に当接することにより前傾姿勢に保持するようにした請求項１に記載のキーボード載置用棚装置。
【請求項３】
前部棚板の前傾時に、その左右両側部に後向きに突設された１対の停止杆の後端の外向き突部を、支持板の両側部の側板に設けた停止部に当接させるようにした請求項１または２に記載のキーボード載置用棚装置。
【請求項４】
停止部が、停止杆の外向き突部が摺動可能に嵌合し得るように、側板に前後方向を向いて形成されたガイド溝の前端の上向き溝部である請求項３に記載のキーボード載置用棚装置。
【請求項５】
後部棚板の左右の側端部に、支持板上を転動するローラを設けた請求項１ないし４のいずれかに記載のキーボード載置用棚装置。
【請求項６】
前部棚板の下面に、摩擦抵抗の小さい複数のスライダを設けた請求項１ないし５のいずれかに記載のキーボード載置用棚装置。
【発明の詳細な説明】
【０００１】
【発明の属する技術分野】
本発明は、サーバー機やＣＲＴモニター，キーボード，マウス等のＯＡ機器類を一括して収納するユニット棚において、特に、キーボードやマウス等を載置するための棚装置に関する。
【０００２】
【従来の技術】
最近のネットワーク環境下において、サーバー機やＣＲＴモニター，キーボード等のＯＡ機器を一括して体裁よく収納するユニット棚が用いられる傾向がある。
【０００３】
このようなユニット棚において、キーボードの操作性を向上するために、例えば特開平１１−１５５５６３号公報に開示されているように、キーボードの載置台（棚板）を引出し自在に設け、かつ引出したとき所定角度前傾し得るようにしたものがある。
【０００４】
【発明が解決しようとする課題】
しかし、前記従来のキーボードの載置台は、それ全体が、後端部を収納部内に残して前傾するようになっているため、載置台の後端全部が大きく上方に跳ね上がる。このため、載置台とその上方の棚板との間の寸法を大きくする必要があり、デッドスペースが大きくなって棚全体の高さが高くなるという問題がある。
【０００５】
また、キーボードやマウスに接続したケーブルを後方に向かって配線する際に、上方に跳ね上がった載置台の上端に沿うように配線されるため、ケーブルが大きく浮き上がったり、載置台を前傾させる毎に擦れて損傷させたりする問題もある。
【０００６】
上記のような問題をなくすためには、キーボード載置台の前後寸法を小さくすることも考えられるが、このようにすると、キーボードやマウス等の載置面積も小さくなる。
【０００７】
本発明は、上記問題点を解決するためになされたもので、キーボード等の載置面積を十分に確保しながら、棚板の後端の跳ね上がりを最小限に抑えて前傾し得るようにし、ケーブルの浮き上がりや損傷等を防止することができるようにした操作性の良いキーボード載置用棚装置を提供することを目的としている。
【０００８】
【課題を解決するための手段】
上記目的を達成するために、本発明のキーボード載置用棚装置は、複数の支柱に水平に取付けられた支持板の上面に、前後方向を向くガイドレールを設け、該ガイドレールに、後部棚板の下面を、支持板上を前後方向に移動可能かつ浮き上がり不能として嵌合するとともに、前記後部棚板の前方の支持板上に、キーボードが載置可能で、かつ上面にキーボードの落下防止手段を有する前部棚板を、その後端面を後部棚板の前端面に蝶着することにより下向きに傾動し得るように、かつ前後移動可能に載置し、前記後部棚板が予め定めた前限位置で停止したとき、前記前部棚板が支持板の前端より所要寸法突出して、所要角度前傾した姿勢に保持されるようにしたことを特徴としている。
上記構成の棚装置によると、後部棚板を支持板上に残したまま、キーボードが載置可能な前部棚板のみを前傾させ得るので、棚板全体が大きく跳ね上がることはなく、従ってキーボードに接続したケーブル類が大きく浮き上がったり、擦れて損傷したりするのが防止される。また、収納状態では、前後の棚板を載置面として使用し得るので、載置面積は十分に確保される。
【０００９】
上記棚装置において、前部棚板を、その後端部下面が支持板の前端上面に当接することにより前傾姿勢に保持するようにするのが好ましい。
このようにすると、前部棚板の前傾時において、その後端の跳ね上がりは最小限となる。
【００１０】
上記棚装置において、前部棚板の前傾時に、その左右両側部に後向きに突設された１対の停止杆の後端の外向き突部を、支持板の両側部の側板に設けた停止部に当接させるようにするのが好ましい。
このようにすると、前部棚板が、その蝶着部より離れた後方の停止部に当接して前傾姿勢に保持されるので、安定的に前傾させることができる。なお、前部棚板の後端部下面も支持板の前端上面に当接させると、蝶着部を挟んで上下２点で支持されるので前部棚板をより安定的に前傾させることができる。
【００１１】
上記棚装置において、停止部が、停止杆の外向き突部が摺動可能に嵌合し得るように、側板に前後方向を向いて形成されたガイド溝の前端の上向き溝部であることが好ましい。
このようにすると、停止杆の外向き突部が、ガイド溝に沿って摺動するので、地震等の振動により前部棚板が上下にがた付いたりすることがない。
【００１２】
上記棚装置において、後部棚板の左右の側端部に、支持板上を転動するローラを設けるのが好ましい。
このようにすると、前後の棚板の前後移動が容易となる。
【００１３】
上記棚装置において、前部棚板の下面に、摩擦抵抗の小さい複数のスライダを設けるのが好ましい。
このようにすると、前部棚板と支持板との摺動抵抗が小さくなるので、前後の棚板を軽快に前後移動することができる。
【００１４】
【発明の実施の形態】
以下、本発明の実施形態を図面に基づいて説明する。
【００１５】
図１は、本発明のキーボード載置用棚装置を備えるＯＡ機器収納用ユニット棚Ａの正面図を示すもので、ユニット棚Ａは、前後左右方向に所定の間隔を設けて並ぶ４本の支柱１における対向面同士の複数個所を、前後及び左右方向を向く連結部材２により結合して構成されている。
【００１６】
各支柱１により囲まれた内方には、複数の棚板３が取付けられ、各棚板３上には、ＣＲＴモニター４やサーバー機５，その他のＯＡ機器６が載置されている。ＣＲＴモニター４の直下には、本発明のキーボード載置用棚装置（以下、棚装置と略称する）７が設けられている。
【００１７】
以下、図２ないし図７を参照して、上記棚装置７を詳細に説明する。
【００１８】
前後方向（以下、図２の左方を前として説明する）に並ぶ両支柱１の内面間には、外向きコ字状の１対の側板８が、前後方向を向いて対向状にボルト止めされ、両側板８の下端部の対向面間には、方形の支持板９の左右両端が固着されている。
【００１９】
支持板９の上面の前部側には、キーボード１０が載置可能な大きさの横長方形状の前部棚板１１が載置され、また、その後方には、前後左右寸法が前部棚板１１よりも小寸の後部棚板１２が載置されている。
【００２０】
前部棚板１１の前端部上面には、キーボード１０の落下を防止する落下防止手段の一例である滑落防止杆１３が立設されている。なお、滑落防止杆１３は、前後の棚板１１，１２を前方に引出す際の把手も兼ねている。
【００２１】
前部棚板１１と後部棚板１２とは、互いの対向面に取付けられた左右１対の蝶番１４により連結され、前部棚板１１は、蝶番１４を中心として下向きに傾動し得るようになっている。
【００２２】
前部棚板１１における左右両側部の下面のやや後部寄りには、１対のスペーサ板１５が固着され、それらの前後の下面には、摩擦抵抗の小さい合成樹脂製のスライダ１６が取付けられ、各スライダ１６は支持板９の上面に摺接している。
【００２３】
後部棚板１２の左右の側端面に固着されたブラケット１７，１７には、左右方向を向く軸回りに回転するローラ１８が枢着されており、両ローラ１８が支持板９上を転動することにより、後部棚板１２と前部棚板１１とが前後に円滑に移動し得るようになっている。
【００２４】
支持板９の上面中央には、図６の断面図に示すように、左右両端が内向き円弧状に湾曲する正面視ほぼ上向きコ字状をなすガイドレール１９が、前後方向を向いて支持板９の前後の端部付近までに亘って固着されている。
【００２５】
上記ガイドレール１９には、後部棚板１２の下面の中央部に取付けられた取付板２０の下面に固着した、前後方向を向く左右１対のガイドロッド２１，２１が、浮き上がりが防止されて摺動可能に嵌合されている。これにより、前後の棚板１１，１２は、ガイドレール１９に沿って安定的に前後方向にのみ往復移動することができる。
【００２６】
支持板９の後端部の中央には、ストッパ片２２が上向きに固着され、このストッパ片２２には、後部棚板１２の後端の中央部が当接するようになっており、この当接時において前後の棚板１１，１２は、ユニット棚Ａ内に収容された状態（図２の状態）となる。なお、ストッパ片２２の前面には、ゴム等の左右１対の緩衝部材２３が取付けられている。
【００２７】
支持板９の前端部上面における左右両側部には、左右のローラ１８が当接することにより、前後の棚板１１，１２を前限位置で停止させるストッパ片２４，２４が、上向きに固着されている。
【００２８】
前部棚板１１の左右両側面の後端部には、図７に示すように（左右対称に付き、一方のみ図示する）、後方への突出端部が内向きコ字状をなす停止杆２５，２５の前半部が固着され、その後端には、外向き突部、すなわちストッパボルト２６が外向きに突出して螺着されている。
【００２９】
左右の側板９における前端部の水平部上面には、水平片２７ａの内端に、その前後寸法より短寸の下向片２７ｂが連設された停止板２７が、前後位置調節可能として、ねじ２８により固定されている。
【００３０】
図７に示すように、上記停止板２７の水平片２７ａの後端部下面と下向片２７ｂの後端には、前限位置において前部棚板１１を下傾させた際、その左右の停止杆２５に取付けたストッパボルト２６の上端と前端が当接し、前部棚板１１が所定の角度（例えば２０°）以上下傾するのが阻止されるようになっている。
【００３１】
このような構成の棚装置７において、図２及び図３の収納状態では、前部棚板１１にはキーボード１０を、後部棚板１２には、マウス２９やその他の小物品を、それぞれ載置することができ、十分な載置面積が確保されている。
【００３２】
サーバー機５の設定変更やメンテナンス等を行うために、キーボード１０を操作する際には、図２の状態から、滑落防止杆１３を把持して、前後の棚板１１，１２を前方に引出し、図４及び図５に示すように、左右のローラ１８がストッパ片２４と当接する前限位置まで、支持板９上を移動させる。この前限位置では、前部棚板１１の後端部が支持板９上に若干残った状態で停止する。
【００３３】
次いで、図５の２点鎖線のように、前部棚板１１の後端部下面が、支持板９の前端部上面に取付けた合成樹脂製のスライダ３０と当接するまで下傾させる。このとき、前部棚板１１の後端より突出する左右の停止杆２５が上方に跳ね上がり、両ストッパボルト２６が停止板２７の後端部に当接する。
【００３４】
従って、前部棚板１１は、その後端部下面と停止杆２５の後端との２点で安定的に支持される。これにより、前部棚板１１に載置したキーボード１０も前傾状態となり、その操作性が向上する。
【００３５】
また、従来例のように棚板全体の後端が大きく跳ね上がることはなく、後部棚板１２は水平となっているため、キーボード１０に接続したケーブル３１が大きく浮き上がったり、棚板の後端と擦れたりするのが防止されるばかりか、上段の棚板との間にケーブル３１が挟まれて断線することがない。
【００３６】
本発明は、上記実施形態に限定されるものではなく、種々の態様をとり得る。
【００３７】
上記実施形態では、後部棚板１２の左右両側にローラ１８を設けているが、このローラ１８を省略して、後部棚板１２の下面適所に、摩擦抵抗の小さい合成樹脂等のスライダを設けるようにしてもよい。
【００３８】
また、両ローラ１８をストッパ片２４に当接させて、前後の棚板１１，１２を前限位置で停止させるようにしているが、ガイドレール１９の前端部にストッパを設けて、これにガイドロッド２１の前端を当接させるようにしてもよい。
【００３９】
上記実施形態では、左右の側板８の前端部に停止板２７を設け、これに停止杆２５のストッパボルト２６を当接させて、前部棚板１１を前傾姿勢に保持するようにしているが、停止板２７を用いる代わりに、図８に示すようにすることもできる。
【００４０】
すなわち、左右の停止杆２５の後端に、若干長寸のストッパボルト３２を螺着し、このボルト３２を、左右の側板８の対向面に形成した、前端が上向きに立ち上がるガイド溝３３に摺動自在に嵌合する。このようにしても、ガイド溝３３の前端において、ストッパボルト３２が上方に移動して停止することにより、前部棚板１１は前傾姿勢で保持される。
【００４１】
なお、このようなガイド溝３３を用いると、地震等の振動により前部棚板１１が上下にがた付くのが防止される。
【００４２】
【発明の効果】
本発明によれば、次のような効果が得られる。
【００４３】
（ａ）請求項１に記載の発明によれば、棚板は、前後の棚板からなっているため、キーボードやマウス等を載置しうるに十分な載置面積が確保される。
また、キーボードを使用するべく前方に移動させると、前部棚板のみが前傾姿勢となるので、その後端部が大きく跳ね上がることはなく、キーボードのケーブル類が大きく浮き上がったり、前傾の都度、棚板と擦れて損傷したりするのが防止される。
【００４４】
（ｂ）請求項２に記載の発明によれば、前部棚板の前傾時において、その後端の跳ね上がりを最小限に抑えることができる。
【００４５】
（ｃ）請求項３に記載の発明によれば、前部棚板を前傾させたとき、その蝶着部より離れた後方の停止部に当接して前傾姿勢に保持されるので、安定的に前傾させることができる。なお、前部棚板の後端部下面も支持板の前端上面に当接させると、蝶着部を挟んで上下２点で支持されるので、前部棚板をより安定的に前傾させることができる。
【００４６】
（ｄ）請求項４に記載の発明によれば、停止杆の外向き突部が、ガイド溝に沿って摺動するので、前部棚板が地震等の振動により上下にがた付いたりすることがない。
【００４７】
（ｅ）請求項５に記載の発明によれば、前後の棚板の前後移動が容易となる。
【００４８】
（ｆ）請求項６に記載の発明によれば、前部棚板と支持板との摺動抵抗が小さくなるので、前後の棚板を軽快に前後移動することができる。
【図面の簡単な説明】
【図１】本発明のキーボード載置用棚装置を備えるＯＡ機器収納用ユニット棚の正面図である。
【図２】本発明の棚装置における棚板収納時の平面図である。
【図３】同じく、一部切欠側面図である。
【図４】同じく、棚板を引出した状態の平面図である。
【図５】同じく、図４の一部切欠側面図である。
【図６】同じく、図２のVI−VI線の拡大縦断面図である。
【図７】同じく、停止杆と停止板との関係を示す要部の斜視図である。
【図８】同じく、停止杆の当接部の他の実施形態を示す要部の斜視図である。
【符号の説明】
１              支柱
２              連結部材
３              棚板
４              ＣＲＴモニター
５              サーバー機
６              ＯＡ機器
７              キーボード載置用棚装置
８              側板
９              支柱板
１０            キーボード
１１            前部棚板
１２            後部棚板
１３            滑落防止杆（落下防止手段）
１４            蝶番
１５            スペーサ板
１６            スライダ
１７            ブラケット
１８            ローラ
１９            ガイドレール
２０            取付板
２１            ガイドロッド
２２            ストッパ片
２３            緩衝部材
２４            ストッパ片
２５            停止杆
２６            ストッパボルト（外向き突部）
２７            停止板
２７ａ          水平片
２７ｂ          下向片
２８            ねじ
２９            マウス
３０            スライダ
３１            ケーブル
３２            ストッパボルト
３３            ガイド溝
Ａ              ユニット棚
【図１】
0003973946.tif 000002
【図２】
0003973946.tif 000003
【図３】
0003973946.tif 000004
【図４】
0003973946.tif 000005
【図５】
0003973946.tif 000006
【図６】
0003973946.tif 000007
【図７】
0003973946.tif 000008
【図８】
0003973946.tif 000009